(57)【要約】【課題】  新規かつ改良された掲示板を提供する。【解決手段】  硬質支持体または支持部材、および支持部材上に取付けた接着剤塗布シートの積み重ねアレイからなる平板を有し、接着剤塗布シートの各々がメモ、ノート、ペン、鉛筆、等の異なる物を接着させるように構成される。複数の接着剤塗布シートを含む掲示板を形成することにより、度重なる使用により劣化した露出接着剤塗布シートは、接着剤塗布シートの積み重ねアレイから簡単に除去でき、掲示板に再度新規接着剤塗布シートを露出させ、再度、物を固定するために使用できる。各フィルムシートの接着剤塗布シートの接着レベルまたは粘着性の程度は、接着剤コーティング材料がフィルム面上で固化する処理レベル、特に接着剤の化学組成それ自体、接着剤に使用する架橋成分の化学組成、および接着剤と架橋剤の比率の変化により種々調整できる。【選択図】      図４
2004258661.tif 000002
【特許請求の範囲】
【請求項１】
表示する物を上に固定する掲示板であって、
支持面、および
前記支持面上に取付けられかつスタックアレイとして設置された複数シートを含む平板を有し、
前記複数シートの各々は第一側上に塗布された接着剤を有し、
前記接着剤は、前記複数シートの最外シートの接着剤塗布側が露出されるときに、表示する物を接着できる十分強力な所定粘着レベルを有し、かつ前記複数シートは、複数シートの新規シートが新鮮最外シートとして作用するために露出されるときに、相互から別々に分離し、それにより前記掲示板上に表示する物を接着することができることを特徴とする、掲示板。
【請求項２】
前記複数シートの各々はプラスチック材料により形成されている、請求項１に記載の掲示板。
【請求項３】
前記プラスチック材料は高密度ポリエチレン(HDPE)を含む、請求項２に記載の掲示板。
【請求項４】
前記プラスチック材料は線状低密度ポリエチレン（LLDPE)を含む、請求項２に記載の掲示板。
【請求項５】
前記プラスチック材料は非線状低密度ポリエチレン（LDPE)を含む、請求項２に記載の掲示板。
【請求項６】
前記複数シートの各々は０．４−２．５mils （約0.0106-0.0635mm)の範囲内の厚みを有する、請求項１に記載の掲示板。
【請求項７】
前記複数シートの各々の第二側は接着剤無塗布である、請求項１に記載の掲示板。
【請求項８】
前記複数シートの各々の第一接着剤塗布側、および前記複数シートの各々の第二接着剤無塗布側は、ダイン測定で、前記複数シートの各々の第一接着剤塗布側の電子コロナ放電処理レベルが、前記複数シートの各々の第二接着剤無塗布側の電子コロナ放電処理レベルの略二倍になるように処理されている、請求項７に記載の掲示板。
【請求項９】
前記複数シートの各々の第一接着剤塗布側は４０−５０ダインの範囲内の電子コロナ放電処理レベルであり、かつ前記複数シートの各々の第二接着剤無塗布側は１０−３０ダインの範囲内の電子コロナ放電処理レベルである、請求項８に記載の掲示板。
【請求項１０】
表示する物を固定する掲示板であって、
支持面を用意し、かつ
前記支持面上に、スタックアレイに配置された複数シートを含む平板を取付ける工程を含み、
前記複数シートの各々は第一側上に塗布された接着剤を有し、
前記接着剤は、前記複数シートの最外シートの接着剤塗布側が露出されるときに、掲示板上に表示する物を接着できるように十分強力な所定粘着レベルを有し、かつ前記複数シートは、複数シートの新規シートが新鮮最外シートとして作用するために露出されるときに、相互から別々に分離し、それにより物が前記掲示板上に表示するために接着されることを特徴とする、表示のために物をその上に固定する掲示板を形成する方法。
【請求項１１】
前記複数シートの各々をプラスチック材料により形成する、請求項１０に記載の方法。
【請求項１２】
前記プラスチック材料は高密度ポリエチレン(HDPE)を含む、請求項１１に記載の方法。
【請求項１３】
前記プラスチック材料は線状低密度ポリエチレン（LLDPE)を含む、請求項１１に記載の方法。
【請求項１４】
前記プラスチック材料は非線状低密度ポリエチレン（LDPE)を含む、請求項１１に記載の方法。
【請求項１５】
前記複数シートの各々を０．４−２．５mils （約0.0106-0.0635mm)の範囲内の厚みを有するように形成する工程を更に含む、請求項１０に記載の方法。
【請求項１６】
前記複数シートの各々の第二側は接着剤無塗布である、請求項１０に記載の方法。
【請求項１７】
前記複数シートの各々の第一接着剤塗布側、および前記複数シートの各々の第二接着剤無塗布側を、ダイン測定で、第一接着剤塗布側の電子コロナ放電処理レベルが、第二接着剤無塗布側の電子コロナ放電処理レベルの略二倍になるように、電子コロナ放電処理により処理する工程を更に含む、請求項１６に記載の方法。
【請求項１８】
前記複数シートの各々の第一接着剤塗布側を４０−５０ダインの範囲内の電子コロナ放電処理レベルになるように、電子コロナ放電処理により処理し、かつ
前記複数シートの各々の第二接着剤無塗布側を１０−３０ダインの範囲内の電子コロナ放電処理レベルになるように、電子コロナ放電処理により処理する工程を更に含む、請求項１７に記載の方法。
【発明の詳細な説明】
【技術分野】
【０００１】
本発明は、概ね、掲示板、ディスプレイパネル、または他の同様装置に関し、更に詳細には、接着剤塗布層または積層によるスタックアレイを含む平板（tablet)の形態で構成された新規かつ改良された掲示板、ディスプレイパネル、または同様装置に関し、例えば、通知、メモ、ノート、請求書、ペン、鉛筆、クーポン等の物を、画鋲、押しピン、磁石等の従来取付け道具を使用することなく接着剤塗布層または積層のスタックアレイ（stacked array)、即ち、積重ねた列の最外接着剤塗布層または積層の露出面または外面上に、自動的かつ容易に固定でき、かつ接着剤塗布層または積層のスタックアレイの最外接着剤塗布層または積層が必要程度の粘着性またはべとつきを機能的に喪失して接着剤による物の保持ができなくなるようなときに、かかる最外接着剤塗布層または積層は容易に除去され、それにより掲示板またはディスプレイパネルの接着剤塗布層または積層のスタックアレイ中の次の接着剤塗布層または積層を露呈、露出または暴露し、新鮮または新規接着剤塗布層または積層が物の取付けのために使用できる状態になり、かつ接着剤塗布層または積層の各々には書き込みが可能であり接着剤塗布層または積層の各々の上に固定された物に加えて書かれた伝言を同様にその掲示板またはディスプレイパネル上に維持できる。
【背景技術】
【０００２】
異なる物を固定するために画鋲、押しピン、磁石等の使用を必要とする掲示板またはディスプレイパネルは、当分野で当然ながら周知である。更に、かかる掲示板またはディスプレイパネルに異なる物を固定するのに画鋲、押しピン、磁石等の使用を必要としない他の掲示板またはディスプレイパネルが当分野で既知である。例えば、１９７６年４月２０日にAmos et alに対して発行された米国特許第3,952,133号の図２に実質的に対応する図１に示されたように、圧力感知掲示板またはディスプレイボードが概ね参照番号１０により示されている。掲示板またはディスプレイボード１０は支持部材または剛性ベース１４の前面上に堅く固定された接着剤層１２を含み、かつ支持部材または剛性ベース１４は、フック１６により壁構造体上に取付ける構成である。剛性ベース１４上に接着剤層１２を設けたことにより、紙１７、ノート１８、鍵１９またはペン２０等の複数の異なる物または品物が、画鋲、押しピン、磁石等の補助取付け道具の使用を必要とすることなく、容易に掲示板またはディスプレイボードへ固定できる。Amosその他による掲示板またはディスプレイボードはその目的を十分に実行するが、そこに例示された掲示板またはディスプレイボードは、掲示板またはディスプレイボードの接着剤層上に集積する外部からの埃、糸くず、またはその他の粒子により寿命サイクルが制限または短縮され、それにより周期的洗濯またはクリーニングを必要とする。
【０００３】
掲示板またはディスプレイパネルの他の例は、同様に、１９９１年５月２１日にThenoに発行された米国特許第５，０１６，３７３号の図３に実質的に対応する図２に示されたような掲示板またはディスプレイボード上に種々の物体また品物を取付けまたは固定するために補助道具の使用を必要としない。更に、詳細には、Thenoのディスプレイ装置１０は一時的に標識または挨拶状４０，４１を取付けるための支持面１１を含み、支持面１１はシート１６の一側上に塗布された透明感圧接着剤を含み、シート１６は貯蔵された供給ロールから巻き戻される。ディスプレイ装置１０は壁内に固定された爪２４上に懸垂される紐１３によって壁構造体上に取付けられる構成であり、紐１３はシリンダ内に設置された端キャップ１９を通過し、シート１６は巻回供給フォマット内に設置される。ディスプレイシート１６の下端はリブ部材１５内に固定され、図示されていない金属ロッドがディスプレイシート１６の重合部内に封入され、供給ロールに対してロールを巻き戻した懸垂位置でディスプレイシート１６を維持するために重量部材として作用する。ディスプレイシート１６の特定露出部上に設置された接着剤が汚れまたは汚染されて接着剤が標識または挨拶状４０，４１を固定保持するために必要な量の粘着性または粘りを発揮しなくなると、ディスプレイシート１６の付加的または新鮮部がシート供給ロールから繰り出され、かつディスプレイシートの古い使用済み部分は剪断かつ廃棄される。
【０００４】
Amosその他に記載の方法と同様に、Thenoのディスプレイ装置１０はその目的を十分に達成するが、Thenoに例示されたディスプレイ装置は同様に望ましくない作用上の不利または欠点を有する。特に、例えば、必要とされる交換工程に関し、新規または新鮮ディスプレイ面１６をディスプレイ装置に用意することは時間の消費である。更に、詳細には、第一に、リブ部材１５はディスプレイシート１６の下端部から係合解除しなければならず、次に、重量金属ロッドをディスプレイシート１６の封入下端部から除去し、ディスプレイシート１６の古いまたは使用済み部分を剪断し、次に重量金属ロッドをディスプレイシート１６の新規または新鮮部分の新しい重合部または封入部内に再挿入、かつ重量金属ロッドが封入されたディスプレイシート１６の新規または新鮮部分の下端部をリブ部材１５内に再挿入する必要がある。
【０００５】
ノート、名刺、スケジュール表、クーポン等の相対的に軽量物体を支持するため、または鍵、ペン、鉛筆等の相対的に重量物体を支持するために使用される掲示板またはディスプレイ装置の他のタイプは、１９９４年８月３０日Krawitzに対して発行された米国特許第５，３４２，６６５号の図７に実質的に対応する図３に示されており、かつ概ね参照番号１９により示されている。更に、詳細には、Krawitzの掲示板は前側または前面１２を有する支持体１１、および複数の品物を保持するために前面１２上に設けられた複数の接着剤細片組立体１３を含む。理解されるように、接着剤細片組立体１３の各々は一セットの接着フィルム部材６１−６４を含み、接着フィルム部材の各々が操作可能に連結された引っ張り端８０を有する。接着剤細片組立体１３はスペース５０−５４により相互から分離し、かつ各接着剤細片組立体１３の最外フィルム部材６１はそれぞれ、下の接着剤面を保護するためにその上に設けられた保護用の引き裂き細片または剥離シート４０−４５を有し、引き裂き細片は所望により品物取付け目的で使用される。Amosその他、およびThenoの掲示板またはディスプレイボードの場合と同様にKrawitzの掲示板１０は満足できる作用をするが、Krawitzの掲示板１０は、掲示板０の保持力を意図的に変化させるために細片組立体の形態に特に設計されている。しかし、個別接着細片またはフィルム部材６１−６４が交換を必要とするたときに、接着剤細片組立体１３の全ての個別の最外接着フィルムまたは細片部材６１−６４の全部を別々に交換または取り換える必要があるので面倒である。例えば、掲示板１０の前接着剤面領域の全体を取り換え、掲示板１０の前接着剤面領域の全体が新鮮接着剤による物体保持面を形成するようにしなければならない。
【０００６】
従って、種々の物体を接着するための接着面が望む時に迅速かつ容易に新鮮にされて、種々の物体を実質的長期にわたり連続的に接合可能とする実用的または機能的接着剤を効果的に維持する、新規かつ改善された掲示板またはディスプレイボードに対するニーズが当分野に存在する。
【０００７】
【特許文献１】米国特許第3,952,133号、米国特許第５，０１６，３７３号、米国特許第５，３４２，６６５号、米国特許第４，５５９，２５０号
【発明の開示】
【発明が解決しようとする課題】
【０００８】
従って、本発明は新規かつ改善された掲示板またはディスプレイボードを提供することを課題とする。
本発明の他の課題は、従来掲示板またはディスプレイボードの種々の機能的欠点または不利を効果的に克服する新規かつ改良された掲示板またはディスプレイボードを提供することにある。
【０００９】
本発明の更に他の課題は、物体を接着剤により固定する接着剤面を効果的に一新させることできる新規かつ改良された掲示板またはディスプレイボードを提供することにある。
【００１０】
本発明の他の課題は、容易かつ迅速に一新する再度新鮮にできる接着剤面を効果的に含む新規かつ改良された掲示板またはディスプレイボードを提供することにある。
【００１１】
本発明の最後の課題は、物体が掲示板またはディスプレイボード上に長期間接着剤により固定され得るように容易かつ迅速に再度新鮮にできる新鮮接着剤面を効果的に含む新規かつ改良された掲示板またはディスプレイボードを提供することにある。
【課題を解決するための手段】
【００１２】
上記課題を解決するための本発明による掲示板は、表示する物を上に固定する掲示板であって、支持面、および前記支持面上に取付けられかつスタックアレイとして設置された複数シートを含む平板を有し、前記複数シートの各々は第一側上に塗布された接着剤を有し、前記接着剤は、前記複数シートの最外シートの接着剤塗布側が露出されるときに、表示する物を接着できる十分強力な所定粘着レベルを有し、かつ前記複数シートは、複数シートの新規シートが新鮮最外シートとして作用するために露出されるときに、相互から別々に分離し、それにより前記掲示板上に表示する物を接着することができることを特徴とする。
【００１３】
好適形態において、前記複数シートの各々はプラスチック材料により形成されている。
【００１４】
好適形態において、前記プラスチック材料は高密度ポリエチレン(HDPE)を含む。
【００１５】
好適形態において、前記プラスチック材料は線状低密度ポリエチレン（LLDPE)を含む。
【００１６】
好適形態において、前記プラスチック材料は非線状低密度ポリエチレン（LDPE)を含む。
【００１７】
好適形態において、前記複数シートの各々は０．４−２．５mils （約0.0106-0.0635mm)の範囲内の厚みを有する。
【００１８】
好適形態において、前記複数シートの各々の第二側は接着剤無塗布である。
【００１９】
好適形態において、前記複数シートの各々の第一接着剤塗布側、および前記複数シートの各々の第二接着剤無塗布側は、ダイン測定で、前記複数シートの各々の第一接着剤塗布側の電子コロナ放電処理レベルが、前記複数シートの各々の第二接着剤無塗布側の電子コロナ放電処理レベルの略二倍になるように処理されている。
【００２０】
好適形態において、前記複数シートの各々の第一接着剤塗布側は４０−５０ダインの範囲内の電子コロナ放電処理レベルであり、かつ前記複数シートの各々の第二接着剤無塗布側は１０−３０ダインの範囲内の電子コロナ放電処理レベルである。
【００２１】
本発明による表示のために物をその上に固定する掲示板を形成する方法は、支持面を用意し、かつ前記支持面上に、スタックアレイに配置された複数シートを含む平板を取付ける工程を含み、前記複数シートの各々は第一側上に塗布された接着剤を有し、前記接着剤は、前記複数シートの最外シートの接着剤塗布側が露出されるときに、掲示板上に表示する物を接着できるように十分強力な所定粘着レベルを有し、かつ前記複数シートは、複数シートの新規シートが新鮮最外シートとして作用するために露出されるときに、相互から別々に分離し、それにより物が前記掲示板上に表示するために接着されることを特徴とする。
【００２２】
好適形態において、前記複数シートの各々をプラスチック材料により形成する。
【００２３】
前記プラスチック材料は高密度ポリエチレン(HDPE)、線状低密度ポリエチレン（LLDPE)、または非線状低密度ポリエチレン（LDPE)であってよい。
【００２４】
好適形態において、前記複数シートの各々を０．４−２．５mils （約0.0106-0.0635mm)の範囲内の厚みを有するように形成する工程を更に含む。
【００２５】
好適形態において、前記複数シートの各々の第二側は接着剤無塗布である。
【００２６】
好適形態において、前記複数シートの各々の第一接着剤塗布側、および前記複数シートの各々の第二接着剤無塗布側を、ダイン測定で、第一接着剤塗布側の電子コロナ放電処理レベルが、第二接着剤無塗布側の電子コロナ放電処理レベルの略二倍になるように、電子コロナ放電処理により処理する工程を更に含む。
【００２７】
好適形態において、前記複数シートの各々の第一接着剤塗布側を４０−５０ダインの範囲内の電子コロナ放電処理レベルになるように、電子コロナ放電処理により処理し、かつ前記複数シートの各々の第二接着剤無塗布側を１０−３０ダインの範囲内の電子コロナ放電処理レベルになるように、電子コロナ放電処理により処理する工程を更に含む。
【発明の効果】
【００２８】
本発明において、接着剤塗布シートがその上に物を効果的に保持することができなくなる程度まで粘着性が劣化したときには、露出された接着剤塗布シートが接着剤塗布シートのスタックアレイから簡単に除去でき、それにより掲示板上に物を確実に接着させるために使用できる新規または新鮮接着剤塗布シートを露出させる。
【発明を実施するための最良の形態】
【００２９】
図面中、特に図４を参照すると、本発明の原理および教示により構成された新規かつ改良された更新可能の多層接着剤塗布露出面を有する掲示板層が概ね参照番号１１０により示されている。更に詳細には、本発明の新規かつ改良された掲示板は、剛性支持面または支持部材１１２、および多層スタックまたは接着剤塗布シートの積層１１４を含む平板（tablet)を含み、平板の上には通知、メモ、ノート、請求書、ペン、鉛筆、クーポン等１１６の種々の物体が接着できるように構成されている。剛性支持面または支持部材１１２の上領域は複数の孔１１８を有し、新規かつ改良された掲示板１１０が、例えば垂直壁構造体上に吊るすことのできるようになっている。ただし、理解されるように孔１１８の代わりに、掲示板１１０は垂直壁構造体上に懸垂可能に垂下または取付けるための他の手段を有しよい。
【００３０】
本発明の掲示板１１０の第一の特徴によれば、接着剤塗布シートの多層スタックまたは積層１１４は複数のシート１２０を含み、その各々は接着剤塗布面１２２を有し、その上に種々物体、例えば、通知、メモ、ノート、請求書、ペン、鉛筆、クーポン等１１６が接着できる構成である。接着剤塗布シートの多層スタックまたは積層１１４の実際の加工に関して、かつ当然ながら、多数の個別シート１２０は、種々物体、例えば、通知、メモ、ノート、請求書、ペン、鉛筆、クーポン等１１６を掲示板１１０の上に固定するためにそれぞれ一体的に形成された接着剤塗布面１２２を有する。接着剤塗布シートによる多層スタックまたは積層１１４の構成または形成、多数の個別シート１２０の構成または形成は、１９８５年１２月１７日にPaigeに対して発行された米国特許第４，５５９，２５０号に開示されたタックマットスタック(tack mat stack)および個別シートと同様またはそこから誘導できる。
【００３１】
更に詳細には、個別シート１２０の各々は接着剤塗布シートの多層スタックまたは積層１１４を含み、例えば、高密度ポリエチレン（HDPE)、線状低密度ポリエチレン（LLDPE)、または非線状低密度ポリエチレン（LDPE)から加工される。高密度ポリエチレン（HDPE)フィルムは代表例としてＡＳＴＭ試験法Ｄ８８２によるフィルム引張強度が４８００ｐｓｉであり、これは直線インチ（約2.54cm)幅当たり１０オンス (約283.495g)の下層フィルムから接着剤引張負荷に十分に耐える強度であり、線状低密度ポリエチレン（LLDPE)フィルムは代表例として６００ｐｓｉのフィルム引張強度を有し、これは、また、１０オンス／インチ幅の接着剤に引き裂きを伴うことなく耐えるに十分な強度であり、かつ非線状低密度ポリエチレン（LDPE)フィルムは、代表例として２８００ｐｓｉのフィルム引張強度を有する。接着剤塗布シートによる多層スタックまたは積層１１４を含むシート１２０の各々は、０．４ｍｉｌから２．５ｍｉｌ（0.00106mm-0.0635mm)の範囲の厚み、好ましくは１．０ｍｉｌ(0.0254mm)の厚みを有する。理解されるように、０．１ｍｉｌ(0.00254mm)未満の厚みを有するフィルムが使用される場合には、接着剤引張負荷は小さくなる。例えば、０．４ｍｉｌ(0.0635mm)厚のフィルムが使用される場合、接着剤引張負荷は５オンス(14.7475g)またはそれ以下の範囲内でなければならない。同様に、プラスチックフィルムは、通常、ポンド当たり等の重量単位で価格決定されるので相対的に薄いフィルムの使用が経済的である。１．０ｍｉｌ(0.0254mm)フィルムは、３．０ｍｉｌ(0.0762mm)フィルムのポンド当たりのフィルム作業面積の三倍効果的である。従って、所定面積を有するフィルムシートは、３．０ｍｉｌ(0.0762mm)の厚みを有するフィルムとして製造する場合に１．０ｍｉｌ(0.0254mm)の厚みを有する同様フィルムシートよりも三倍以上経済的である。
【００３２】
接着剤をポリエチレンフィルムの表面に確実に強力に接着するようにするために、フィルムの通常平滑面を効果的に圧迫する必要がある。このフィルム面圧迫処理は、フィルム面をコロナ処理として通常知られている高電子放射することにより達成される。フィルム面が実際にはかかるコロナ処理されていない場合には、接着剤（材料）はプラスチックフィルムから擦れて剥がれるかまたは望ましくない接着をし、そして掲示板１１０上に固定または取付けたい物体に転写する危険がある。更に、接着剤塗布シートの多層スタックまたは積層１１４を含む個別シート１２０の各々からの分離を促進するために、接着剤塗布シートの多層スタックまたは積層１１４の個別シート１２０の相互からの尚早な分離または離層を阻止するために重要である。所望により、例えば、掲示板１１０の古いまたは使用済みシート１２０を接着剤塗布シートの下にある多層スタックまたは積層１１４から除去し、それにより掲示板１１０の接着剤塗布シートの下にある多層スタックまたは積層１１４の新規または新鮮シート１２０を露出させることができるようにするためである。また、接着剤塗布シートの多層スタックまたは積層１１４の個別シート１２０を連続的かつ個別的に露出させることにより掲示板１１０の連続的使用に悪影響を与えないようにするためである。従って、接着剤塗布シートの多層スタックまたは積層１１４を含む個別シート１２０の無接着または無塗布側は、同様に上述の電子またはコロナ処理を受け、その結果、プラスチックシートの無接着または無塗布側は下にある接着剤塗布側またはプラスチックシートの表面に更に強力に接着し、それにより掲示板１１０のシート１２０は共にタイトに保持されかつ時期尚早の離層から効果的に防止される。
【００３３】
更に、理解されるように、電子コロナ処理プロセスは、ダイン(dyne)測定で効果的に力を生成する処理レベルになるように処理され、それにより接着剤がプラスチックフィルム上に塗布または結合される。１０ダイン処理レベルまたは２０ダイン処理レベルは４０ダイン処理レベルよりプラスチックフィルム面に対する破壊性が小さく、従って、４０ダイン処理レベルによるプラスチックフィルム面上へ塗布される接着剤は、１０または２０ダイン処理レベルによるプラスチックフィルム面の上に塗布される接着剤よりも、フィルムの電子コロナ処理面へ緊密即ち、タイト（tight)に結合する。従って、更に理解されるように、接着剤が所定ダイン処理レベルによりプラスチックフィルム面上へ塗布される場合、そしてかかる接着剤塗布フィルム面が、接着剤で塗布されていないが同様に同一所定ダイン処理レベルで電子コロナ処理プロセスを受けたプラスチックフィルム面へ積層される場合には、接着剤は、最初に塗布されたプラスチックフィルム面へ接合されるときに同様に無塗布コロナ処理プラスチックフィルム面へタイトに接着する。従って、二つのプラスチックフィルム面が、例えば、４０ダイン処理レベルにより処理された場合には、二つのフィルム面は相互から容易には分離せず、フィルムそれ自体が裂けるか、または接着剤が最初に塗布されたフィルム面から部分的に離層することが実験されている。
【００３４】
反対に、二つのプラスチックフィルム面が、例えば、１０または２０ダイン処理レベルにより処理された場合には、二つのプラスチックフィルム面は、フィルムそれ自体が裂けたりまたは接着剤が最初に塗布されたフィルム面から部分的に離層したりすることなく、相互から容易に分離可能である。従って、本発明の原理および教示によれば、プラスチックフィルムシートは、その一側または一面に接着剤が塗布されてよく、プラスチックフィルムシート１２０は、接着剤塗布シートの多シートまたは多層スタックまたは積層１１４を形成するために、相互に対して効果的に接着し、または共に保持され、かつ更に、プラスチックフィルムシート１２０は、電子コロナ放電処理レベルを適正に制御する結果として相互から容易に分離かつ解放されうる。フィルムシート１２０の接着剤塗布および無塗布の両側または両面上へ施行される電子コロナ放電処理レベルの制御に関連して、更に説明すれば、各フィルムシート１２０の前記両面は同一ダイン処理レベルで処理される必要はない。例えば、各フィルムシート１２０の無塗布側または無塗布面は各フィルムシートの接着剤塗布側または接着剤塗布面が受けるダイン処理レベルの略１／２のダイン処理レベルであってよい。各フィルムシート１１２０の接着剤無塗布側と接着剤塗布側間の規定したような相対的処理レベル関係は、このように接着剤塗布シートの多シートまたは多層スタックまたは積層１１４の個別フィルムシート１２０の相互に対する必要接着を提供するが、にもかかわらず、接着剤塗布シートの多シートまたは多層スタックまたは積層１１４の個別フィルムシート１２０の所望時における相互からの分離または解放を可能にする。
【００３５】
フィルムシート１２０の接着剤無塗布側および接着剤塗布側のかかるダイン処理レベルによれば、同様に理解されるように、上述の最適結果を実際に得るために、フィルムシート１２０の反対側または反対面への処理レベルの相対的比率または割合が変化してよいように、フィルムシート１２０の両側まだは両面の特定の一側または一面への特定処理レベルは可変である。最適結果は異なるプラスチックフィルムとの関係で可変であり、例えば、プラスチックフィルムそれ自体の化学組成、または特定接着剤および架橋剤の化学組成、同様に、特定プラスチックフィルム上に使用される接着材料を構成する接着剤と架橋剤の相対的重量％等により変化可能であるが、種々のプラスチックフィルムにかかる最適結果を得るために、各プラスチックフィルムシート１２０の接着剤塗布側または面は、好適には、４０−５０ダインの範囲の電子コロナ放電処理レベルで処理され、他方で各プラスチックフィルムシート１２０の無塗布側または面は１０−３０ダインの範囲の電子コロナ放電処理レベルで処理されるのが好ましい。最後に、本発明の原理および教示によれば、接着剤塗布シートの多シートまたは多層スタックまたは積層１１４の個別フィルムシート１２０の接着剤塗布側または接着剤塗布面に接着される通知、メモ、ノート、請求書、ペン、鉛筆、クーポン等１１６の種々の物体に加えて、接着剤塗布シートの多シートまたは多層スタックまたは積層１１４の個別フィルムシート１２０の露出した接着剤塗布面は、所望によりその上にメモ、ノート等の書き込みができ、書き込んだメモ、ノート等は、適宜洗浄、クリーニングプロセス、または処理法によりフィルムシート１２０の露出した接着剤塗布面から続いて除去できる。
【００３６】
理解されるように、このようにして、本発明の原理および教示により、剛性支持体または支持部材、および前記剛性支持体または支持部材上に取付けた接着剤塗布シートのスタックアレイを含む平板からなる新規かつ改良された掲示板またはディスプレイボードが提供され、かつ前記掲示板またはディスプレイボードにおいて、前記接着剤塗布シートの各々は、例えば、通知、メモ、ノート、請求書、ペン、鉛筆、クーポン等１１６の種々の異なる物体のその上への接着を可能にするように構成される。各露出した接着剤塗布シートは使用期間中に、それに加えて、露出された接着剤塗布シートへの物体の周期的接着、および露出した接着剤塗布シートからの物体の除去の結果として埃または他の環境粒子を集積する傾向があるので、露出した接着剤塗布シートの粘着度は時間と共に劣化する。
【００３７】
結果として、本発明の独自かつ新規基本的特徴の一つによれば、接着剤塗布シートが物体を効果的に保持しなくなる程度まで粘着性が劣化したときには、露出接着剤塗布シートは接着剤塗布シートの平板またはスタックアレイから簡単に除去でき、掲示板またはディスプレイボード上に物体を再度確実に接着させるために使用できる新規または新鮮接着剤塗布シートを露出させる。各フィルムシートの接着剤塗布面の接着程度または粘着レベルは、フィルム面上に固定する接着剤塗布材料の処理レベルを変える、同様に接着剤それ自体の化学組成、接着剤に組み合わせる架橋成分の化学組成、および接着材を構成する接着剤と架橋剤の重量％を変えることより種々調整できる。
【００３８】
自明なように、本発明の多くの変更および改変が上述の教示に照らして可能である。従って、特許請求の範囲内で本発明はここに特定した以外の他の方法で実施できることが理解されるべきである。
【図面の簡単な説明】
【００３９】
【図１】物体を接着する単一接着面を有する第一の従来感圧ディスプレイボードの前立面図である。
【図２】物体を接着するための単一の連続的更新可能接着面を有する第二の従来ディスプレイボードの前立面図である。
【図３】物体を接着するための複数の接着細片を含む接着面を有する第三の従来ディスプレイボードの前立面図である。
【図４】物体を堅く接着するために、所望または必要により、新規または新鮮露出接着面を定常的に提供する継続的に除去できる接着剤塗布シートの更新可能多層スタックを含む本発明の原理および教示により構成された新規かつ改良された掲示板の前立面図である。
【符号の説明】
【００４０】
１１０…掲示板
１１２…支持面または支持部材
１１４…接着剤塗布シートの多層スタックまたは積層
１１６…物体
１２０…シート
１２２…接着剤塗布面
【図１】
2004258661.tif 000003
【図２】
2004258661.tif 000004
【図３】
2004258661.tif 000005
【図４】
2004258661.tif 000006